(57)【要約】      （修正有）【課題】鳥等の公害等を防止するために、安価に、簡単にワイヤーを張設することができるワイヤ張設具を提供する。【解決手段】ワイヤー２を挿通自在とした筒状のスリーブ３に割りピン状のスプリングピン４を挿脱可能に形成し、ワイヤー２を挿通したスリーブ３にスプリングピン４を挿し込んでワイヤー２をスプリングピン４の側周部を介してスリーブ３に所定の長さに調整自在に固着するようにしている。また、スリーブ３の外周部にねじ状のスリーブ取付部を設け、ねじ状のスリーブ取付部にコイルスプリング９の一端側を挿着し、コイルスプリング９の他端側をほぼ９０度に折曲してワイヤー支持具５に挿着してワイヤー２を張設するようにするのが好ましい。【選択図】図１
0003151152.tif 000002
【実用新案登録請求の範囲】
【請求項１】
鳥害防止用等のワイヤーを張設するためのワイヤー張設具であって、
ワイヤーを挿通自在とした筒状のスリーブに割りピン状のスプリングピンを挿脱可能に形成し、ワイヤーを挿通したスリーブにスプリングピンを挿し込んでワイヤーをスプリングピンの側周部を介してスリーブに所定の長さに調整自在に固着するようにしたことを特徴とするワイヤー張設具。
【請求項２】
スリーブの先端にワイヤーを挿通するためのワイヤー挿通孔を開口し、スリーブに挿通したワイヤーを折曲状態としてスプリングピンをスリーブに挿し込んでワイヤーを固着するようにした請求項１に記載のワイヤー張設具。
【請求項３】
スリーブの外周部にねじ状のスリーブ取付部を設け、ねじ状のスリーブ取付部にコイルスプリングの一端側を挿着し、コイルスプリングの他端側をほぼ９０度に折曲してワイヤー支持具に挿着してワイヤーを張設するようにした請求項１または２に記載のワイヤー張設具。
【請求項４】
スリーブの端部にフックやクランプ等の係止具を取り付けてワイヤー支持具に係止してワイヤーを張設するようにした請求項１または２に記載のワイヤー張設具。
【考案の詳細な説明】
【技術分野】
【０００１】
本考案は、公害防止分野等におけるワイヤー張設具に関し、特に安価に、簡単にワイヤーを張設することができるワイヤー張設具に関するものである。
【背景技術】
【０００２】
近年の開発事情から鳩やカラスが街中に住み着くようになり、これらの鳥が建物の屋上やベランダに止まり、糞をして建物の屋上やベランダを汚損して美感を害し、またその付近の通行人にも糞が落下することもあり、その対策に憂慮している。
【０００３】
そこで、このような鳥類の糞害を防止するために、被害防止の保護ネットを覆ったり、電撃装置を設けたり、鳥の方向間隔を狂わせるように磁石を取り付けたりすることが提案されている。
【０００４】
しかし、保護ネットで覆うのは建物の美感を損なうものであり、また保護ネットに鳩等が止まって糞をすると掃除がしにくくなって困るものであった。また、電撃装置や磁石を配設しても、鳩等は学習能力をもっていて次第に住み着くようになって効果がなくなるものであった。
【考案の概要】
【考案が解決しようとする課題】
【０００５】
そこで、建物の美感等を害しないようにして鳥等の糞害を防止するために、鳥類が建物に止まらないように建物に所定間隔をあけてワイヤーや線材を張設することが提案されている。
【０００６】
しかし、ターンバックルでワイヤーを引っ張ったり、取り付け台の間に線材を着脱可能に係止しているもので、張力調整に手間がかかったり、コストが高くなり、安価に、簡単にワイヤーを張設することが要望されていた。また、野外で農産物を食い荒らしている猪、鹿等の動物の侵入を防止することが要望されていた。
【課題を解決するための手段】
【０００７】
本考案は、上記のような点に鑑みたもので、上記の課題を解決するために、鳥害防止用等のワイヤーを張設するためのワイヤー張設具であって、ワイヤーを挿通自在とした筒状のスリーブに割りピン状のスプリングピンを挿脱可能に形成し、ワイヤーを挿通したスリーブにスプリングピンを挿し込んでワイヤーをスプリングピンの側周部を介してスリーブに所定の長さに調整自在に固着するようにしたことを特徴とするワイヤー張設具を提供するものである。
【０００８】
また、スリーブの先端にワイヤーを挿通するためのワイヤー挿通孔を開口し、スリーブに挿通したワイヤーを折曲状態としてスプリングピンをスリーブに挿し込んでワイヤーを固着するようにしたワイヤー張設具を提供するものである。
【０００９】
さらに、スリーブの外周部にねじ状のスリーブ取付部を設け、ねじ状のスリーブ取付部にコイルスプリングの一端側を挿着し、コイルスプリングの他端側をほぼ９０度に折曲してワイヤー支持具に挿着してワイヤーを張設するようにしたワイヤー張設具を提供するものである。
【００１０】
さらにまた、スリーブの端部にフックやクランプ等の係止具を取り付けてワイヤー支持具に係止してワイヤーを張設するようにしたワイヤー張設具を提供するものである。
【考案の効果】
【００１１】
本考案のワイヤー張設具は、請求項１のように鳥害防止用等のワイヤーを張設するためのワイヤー張設具であって、ワイヤーを挿通自在とした筒状のスリーブに割りピン状のスプリングピンを挿脱可能に形成し、ワイヤーを挿通したスリーブにスプリングピンを挿し込んでワイヤーをスプリングピンの側周部を介してスリーブに所定の長さに調整自在に固着するようにしたことによって、ワイヤーを挿通したスリーブにスプリングピンを挿し込むとワイヤーをスプリングピンの側周部を介してスリーブに簡単に固着するができ、スリーブからスプリングピンを引き出すとワイヤーを適宜な長さに容易に調節でき、安価に、簡単にワイヤーを所要位置に張設することができる。そのため、鳩等が飛来しても細いワイヤーで安定して止まれなく、鳥害等の公害を防止できる。また、野外で農産物を食い荒らしている猪、鹿等の動物の侵入を防止する柵に、安価に、簡単にワイヤーを張設することができる。
【００１２】
また、本考案のワイヤー張設具は、請求項２のようにスリーブの先端にワイヤーを挿通するためのワイヤー挿通孔を開口し、スリーブに挿通したワイヤーを折曲状態としてスプリングピンをスリーブに挿し込んでワイヤーを固着するようにしたことによって、スリーブの先端のワイヤー挿通孔からスリーブに挿通したワイヤーを折曲状態としてスプリングピンでワイヤーをスプリングピンの側周部で固着するができ、上記のようにワイヤーを適宜な長さに容易に調節でき、安価に、簡単にワイヤーを所要位置に張設することができて、鳥害等の公害を防止できる。
【００１３】
さらに、本考案のワイヤー張設具は、請求項３のようにスリーブの外周部にねじ状のスリーブ取付部を設け、ねじ状のスリーブ取付部にコイルスプリングの一端側を挿着し、コイルスプリングの他端側をほぼ９０度に折曲してワイヤー支持具に挿着してワイヤーを張設するようにしたことによって、上記したスリーブをコイルスプリングでワイヤー支持具に挿着してワイヤーを張設でき、上記のようにワイヤーを適宜な長さに容易に調節でき、安価に、簡単にワイヤーを所要位置に張設することができて、鳥害等の公害を防止できる。コイルスプリングは、ワイヤー支持具の任意の高さに自在に挿着できるとともに、ワイヤーの張力で締まり、強固にワイヤー支持具に固着してワイヤーを張設できる。
【００１４】
またさらに、本考案のワイヤー張設具は、請求項４のようにスリーブの端部にフックやクランプ等の係止具を取り付けてワイヤー支持具に係止してワイヤーを張設するようにしたことによって、上記したスリーブをフックやクランプ等の係止具でもワイヤー支持具に係止してワイヤーを張設でき、上記のようにワイヤーを適宜な長さに容易に調節でき、安価に、簡単にワイヤーを所要位置に張設することができて、鳥害等の公害を防止できる。
【図面の簡単な説明】
【００１５】
【図１】本考案の一実施例の一部省略したワイヤーの張設状態説明の概要図、
【図２】同上のスリーブ部のワイヤーの固着状態説明用断面図（ａ）、（ｂ）、
【図３】同上のスリーブ部の係止説明図、
【図４】同上の他の実施例の係止説明図。
【考案を実施するための形態】
【００１６】
本考案のワイヤー張設具は、鳥害防止用等のワイヤーを張設するためのワイヤー張設具であって、ワイヤーを挿通自在とした筒状のスリーブに割りピン状のスプリングピンを挿脱可能に形成し、ワイヤーを挿通したスリーブにスプリングピンを挿し込んでワイヤーをスプリングピンの側周部を介してスリーブに所定の長さに調整自在に固着するようにしたことを特徴としている。
【００１７】
ワイヤー張設具１は、たとえば図１のように建物の屋上やベランダ等の外周壁にワイヤー２を張設して、鳩、カラス、雀等の鳥類が飛来して立ち止まるのを防止したりするようにするもので、１〜３ｍｍ径、好ましくは１〜２ｍｍ径の細いステンレススチール等の鉄鋼線のワイヤー２の両端部をスリーブ３に挿着してスプリングピン４を介して固着し、所要個所に立設したワイヤー支持具５等に張設するようにしている。
【００１８】
スリーブ３は、図２（ａ）のようにその先端部に小径のワイヤー挿通孔６を開口した筒状のもので、その内側の開孔部７に所定の弾性を有して拡縮する割りピンのスプリングピン４をワイヤー２を挿通できるように挿脱可能に装着し、その後部を少し突き出したスプリングピン４を引き出すと自由にワイヤー２をスリーブ３に出し入れ状態にできるとともに、図２（ｂ）のようにスプリングピン４を挿し込むとワイヤー２をスリーブ３に折曲状態に挿通してスプリングピン４の弾力で強固に固着できるようにしている。
【００１９】
また、スリーブ３の外周部には、図２のように所定のピッチのねじ状のスリーブ取付部８を設け、図３のようにねじ状のスリーブ取付部８に所定の弾力のコイルスプリング９の一端側を挿着し、コイルスプリング９の他端側をほぼ９０度に折曲して係止部１０とし、折曲した係止部１０を立設したワイヤー支持具５等に挿入してワイヤー２を張設するようにしている。
【００２０】
上記コイルスプリング９の係止部１０は、ワイヤー支持具５等の被係止部１１の口径に対応して嵌入自在として任意の高さ位置に自在に係止できるとともに、ワイヤー２を張設すると係止部１０が締まってワイヤー支持具５等の被係止部１１に強固に締着できて好ましい。
【００２１】
また、図４のようにスリーブ３の端部にフックやクランプ等の係止具１２を取り付けてワイヤー支持具５等に係止してワイヤー２を張設することもできる。
【００２２】
なお、ワイヤー張設具１は、ワイヤー２を１〜５ｍｍ径、好ましくは２〜３ｍｍ径のステンレススチール等の鉄鋼線として田畑や、果樹園、農園等の周囲に柵として施工して野外で農産物を食い荒らしている猪、鹿、狸等の動物の侵入防止用に、安価に、簡単にワイヤーを張設するなど、本考案の趣旨にもとずいた適宜手段を実施することもできる。
【実施例】
【００２３】
図１〜図３は、本考案の一実施例を示すものである。  本考案のワイヤー張設具１のワイヤー２は、１ｍｍ径の細いステンレススチールの鉄鋼線としてその両端部を図２（ａ）のように６ｍｍ径、１５ｍｍ長さの金属材のスリーブ３にその先端部に小径のワイヤー挿通孔６に挿通して図２（ｂ）のように３ｍｍ径、１２ｍｍ長さの割りピンのスプリングピン４を挿し込んでワイヤー２をスリーブ３の内側にそって折曲状態にしてスプリングピン４の弾力で強固に当接して固着するようにしている。
【００２４】
そして、スリーブ３の外周部には、図２のように所定のピッチのねじ状のスリーブ取付部８を設け、図３のようにねじ状のスリーブ取付部８に所定の弾力のコイルスプリング９の一端側を挿着し、コイルスプリング９の他端側をほぼ９０度に折曲して係止部１０とし、折曲した係止部１０を立設したワイヤー支持具５等に挿入してワイヤー２を簡単に張設するようにしている。たとえば、ワイヤー支持具５の被係止部１１が６．０ｍｍ径とすると、コイルスプリング９の係止部１０を５．８ｍｍ径のやや小径として任意の高さ位置に挿入し係止してワイヤー２を張設すると係止部１０が締まってワイヤー支持具５の被係止部１１に強固に締着できる。
【００２５】
また、図４のようにスリーブ３の端部にフックやクランプ等の係止具１２を取り付けてワイヤー支持具５等に係止してワイヤー２を張設することもできる。
【００２６】
このようにワイヤー張設具１は、筒状のスリーブ３に割りピン状のスプリングピン５を挿脱可能に形成してワイヤー２を所定の長さに調整自在に固着するものなので、安価に、簡単にワイヤー２を所要位置に張設することができ、鳩等が飛来してもワイヤーで安定して止まれなくして鳥害等の公害を防止できる。
【００２７】
なお、上記ワイヤー張設具１は、電気柵や平行状に配設した電撃装置等に使用して高電圧パルス電流を発生する電源装置、電圧印加装置を接続し、農作物や果樹を喰い荒らす猪、狸、狐、猿等の動物、鳥獣の撃退にも適用することができる。
【産業上の利用可能性】
【００２８】
本考案のワイヤー張設具は、近年鳩やカラス等の鳥類の飛来防止の公害対策用や、野外で農産物を食い荒らしている猪、狸、鹿等の動物の侵入防護対策用等に広く利用できる。
【符号の説明】
【００２９】
１…ワイヤー張設具          ２…ワイヤー              ３…スリーブ
４…スプリングピン          ５…ワイヤー支持具        ６…ワイヤー挿通孔
８…スリーブ取付部          ９…コイルスプリング
【先行技術文献】
【特許文献】
【００３０】
【特許文献１】特開平１１−２５３０９０
【特許文献２】特開２００１−１３６８９４
【特許文献３】特開平１０−００５２２１１
【特許文献４】特開平０９−００９８５２
【図１】
0003151152.tif 000003
【図２】
0003151152.tif 000004
【図３】
0003151152.tif 000005
【図４】
0003151152.tif 000006